(57)【要約】【目的】  皮膚の老廃物を浮きださせる効果と、皮膚にゲルマニウムを浸透させて皮膚の血流を良くするという効果とを発揮する。【構成】  外周面に金薄膜120 が、さらにその上にゲルマニウム薄膜130 がそれぞれ被着された略円柱状の永久磁石110 であるローラ100 と、先端部にローラ100 が回転自在に取り付けられると共に当該ローラ100 と電気的に接続された導電性を有するローラ支持部200 と、このローラ支持部200 の基端部を保持する一方、当該ローラ支持部200 と電気的に絶縁された導電性を有する把持部300 と、この把持部300 の内部に収納される直流電源400 とを備え、直流電源400 の一方の端子410 又は他方の端子420 が把持部300 に、他方の端子420 又は一方の端子410 がローラ支持部200 を介してローラ100 にそれぞれ電気的に接続可能になっている。【選択図】      図１
2005066304.tif 000002
【特許請求の範囲】
【請求項１】
ローラを回転自在に支持するローラ支持部と、このローラ支持部と電気的に接続された把持部と、この把持部の内部に収納される直流電源とを具備しており、前記ローラは、外周面に金薄膜が、さらにその上にゲルマニウム薄膜がそれぞれ被着された略円柱状の永久磁石であり、前記直流電源の一方の電極は把持部に、他方の電極は前記ローラ支持部を介してローラにそれぞれ電気的に接続されており、前記直流電源は、陽極と陰極とを入れ換え可能になっていることを特徴とするマッサージ器。
【請求項２】
前記ローラ支持部は二股になっており、２つのローラが離れて支持されていることを特徴とする請求項１記載のマッサージ器。
【請求項３】
前記直流電源は乾電池であることを特徴とする請求項１又は２記載のマッサージ器。
【請求項４】
前記把手部には、前記直流電源の一方の端子を把持部の外周面に、他方の端子を前記ローラ支持部に、又は他方の端子を把持部の外周面に、一方の端子を前記ローラ支持部に電気的に接続するように切り替えるための切替スイッチが設けられていることを特徴とする請求項１記載のマッサージ器。
【請求項５】
前記ローラを振動させて超音波を発生させるために前記ローラ及び／又はローラ支持部に設けられた超音波振動子と、超音波を発生させるために必要な発振信号を生成して前記超音波振動子に出力する信号生成手段とを具備したことを特徴とする請求項１記載のマッサージ器。
【請求項６】
前記直流電源及び信号生成手段に電気的に接続されており且つ当該信号生成手段のＯＮ／ＯＦＦを切り替えるための電源スイッチを備えていることを特徴とする請求項５記載のマッサージ器。
【請求項７】
前記電源スイッチは、信号生成手段のＯＮ／ＯＦＦに加えて、前記直流電源の一方の端子を把持部の外周面に、他方の端子を前記ローラ支持部に、又は他方の端子を把持部の外周面に、一方の端子を前記ローラ支持部に電気的に接続するように切り替える機能を有していることを特徴とする請求項６記載のマッサージ器。
【請求項８】
前記信号生成手段は把持部の内部に設けられており、ケーブルを介して超音波振動子に接続されていることを特徴とする請求項７記載のマッサージ器。
【発明の詳細な説明】
【技術分野】
【０００１】
本発明は、皮膚の活性化を図るマッサージ器に関する。
【背景技術】
【０００２】
女性にとって皮膚を美しくし、その美しい皮膚を長く保つことは古来からの願望であり、そのために多くの化粧品やマッサージ器等が発明されている。この種のマッサージ器としては、実願昭６４−５０８４２号公報（特許文献１）、特開平０１−１９５８６７号公報（特許文献２）、実公平０４−０３３８６１号公報（特許文献３）等に記載されたものがある。
【０００３】
【特許文献１】実願昭６４−５０８４２号公報
【特許文献２】特開平０１−１９５８６７号公報
【特許文献３】実公平０４−０３３８６１号公報
【発明の開示】
【発明が解決しようとする課題】
【０００４】
しかしながら、上述した特許文献１に記載されたマッサージ器は、単に皮膚にゲルマニウムを浸透させることによって皮膚の血行を良くするだけであって、皮膚にある老廃物、例えば油分等を取り除くことができない。
【０００５】
また、上述した特許文献２に記載されたマッサージ器は、ステンレス類中空芯管の内部にヒータ線を有し、ステンレス請求類中空芯管の外周部には中空円筒形ローラを有し、この中空円筒形ローラにはゲルマニウム等の半導体を保持させているが、前記ヒータ線で半導体を加熱して使用するようになっている。従って、特に皮膚の敏感な人にとっては熱すぎて使えないという問題がある。
【０００６】
さらに、上述した特許文献３に記載されたマッサージ器は、把持部の上方部内に駆動部を内蔵し、偏心した円柱形の回転体を前記駆動部で回転駆動させる構成になっている。従って、このマッサージ器では、使用時に振動するため、長時間にわたって使用すると把持部を把持している手が疲れるので、長時間にわたって使用することができないという問題点がある。
【課題を解決するための手段】
【０００７】
本発明に係るマッサージ器は、外周面に金薄膜が、さらにその上にゲルマニウム薄膜がそれぞれ被着された略円柱状の永久磁石であるローラと、先端部にローラが回転自在に取り付けられると共に当該ローラと電気的に接続された導電性を有するローラ支持部と、このローラ支持部の基端部を保持する一方、当該ローラ支持部と電気的に絶縁された把持部と、この把持部の内部に収納される直流電源とを具備しており、前記把持部は少なくとも外周面が導電性を有した素材で構成されており、前記直流電源の一方の端子又は他方の端子が把持部の外周面に、他方の端子又は一方の端子が前記ローラ支持部を介してローラにそれぞれ電気的に接続可能になっている。
【０００８】
前記ローラ支持部は二股になっており、２つのローラが離れて支持されている。また、前記直流電源は乾電池であり、前記把持部は乾電池が挿入可能な開口を有する把持部本体と、この把持部本体の開口を閉塞する蓋体とを有している。
【０００９】
好ましくは、前記把手部には、前記直流電源の一方の端子を把持部の外周面に、他方の端子を前記ローラ支持部に、又は他方の端子を把持部の外周面に、一方の端子を前記ローラ支持部に電気的に接続するように切り替えるための切替スイッチが設けられていることが望ましい。
【００１０】
さらに、前記ローラを振動させて超音波を発生させるために前記ローラ及び／又はローラ支持部に設けられた超音波振動子と、超音波を発生させるために必要な発振信号を生成して前記超音波振動子に出力する信号生成手段とを備えることができる。
【００１１】
前記直流電源及び信号生成手段に電気的に接続されており且つ当該信号生成手段のＯＮ／ＯＦＦを切り替えるための電源スイッチを備えている。この電源スイッチは、信号生成手段のＯＮ／ＯＦＦに加えて、前記直流電源の一方の端子を把持部の外周面に、他方の端子を前記ローラ支持部に、又は他方の端子を把持部の外周面に、一方の端子を前記ローラ支持部に電気的に接続するように切り替える機能を有している。
【００１２】
前記信号生成手段は把持部の内部に設けられており、ケーブルを介して超音波振動子に接続されている。
【発明の効果】
【００１３】
本発明に係るマッサージ器は、外周面に金薄膜が、さらにその上にゲルマニウム薄膜がそれぞれ被着された略円柱状の永久磁石であるローラと、先端部にローラが回転自在に取り付けられると共に当該ローラと電気的に接続された導電性を有するローラ支持部と、このローラ支持部の基端部を保持する一方、当該ローラ支持部と電気的に絶縁された把持部と、この把持部の内部に収納される直流電源とを具備しており、前記把持部は少なくとも外周面が導電性を有した素材で構成されており、前記直流電源の一方の端子又は他方の端子が把持部の外周面に、他方の端子又は一方の端子が前記ローラ支持部を介してローラにそれぞれ電気的に接続可能になっている。
【００１４】
かかるマッサージ器であると、直流電源の一方の端子( 陽極) をローラに接続し、直流電源の他方の端子( 陰極) を把持部の外周面に接続した場合には、皮膚の老廃物を浮きださせる効果があり、直流電源の端子の接続を切り替え、直流電源の他方の端子( 陰極) ローラにを接続し、直流電源の一方の端子( 陽極) を把持部に接続した場合には、皮膚にゲルマニウムを浸透させて皮膚の血流を良くするという効果がある。
【００１５】
また、前記ローラ支持部は二股になっており、２つのローラが離れて支持されていると、皮膚に与える機械的な刺激が大きくなるというメリットがある。
【００１６】
さらに、前記直流電源として乾電池を使用した場合、前記把持部は乾電池が挿入可能な開口を有する把持部本体と、この把持部本体の開口を閉塞する蓋体とを有している。即ち、乾電池の把持部本体に挿入する向きを変えるだけで、当該乾電池の端子の接続を切り替えることができるので、手軽に利用できるマッサージ器とすることができる。
【００１７】
或いは、前記把手部に、前記直流電源の一方の端子を把持部の外周面に、他方の端子を前記ローラ支持部に、又は他方の端子を把持部の外周面に、一方の端子を前記ローラ支持部に電気的に接続するように切り替えるための切替スイッチを設けると、簡単に直流電源の端子の接続を切り替えることができる。
【００１８】
前記マッサージ器は、前記ローラを振動させて超音波を発生させるために前記ローラ及び／又はローラ支持部に設けられた超音波振動子と、超音波を発生させるために必要な発振信号を生成して前記超音波振動子に出力する信号生成手段とを備えている。かかるマッサージ器によると、ローラが振動して超音波が発生する。この超音波によって、ローラに直流電源の一方の端子を接続し、把持部に直流電源の陰極を接続した場合、又はローラに直流電源の陰極を接続し、把持部に直流電源の一方の端子を接続した場合の効果を促進させることができる。
【００１９】
また、前記直流電源及び信号生成手段に電気的に接続されており且つ当該信号生成手段のＯＮ／ＯＦＦを切り替えるための電源スイッチを備えていると、この電源スイッチを切り替えることによって超音波の発生させるか否かを適宜選択することができ、便利である。
【００２０】
さらに、この電源スイッチは、信号生成手段のＯＮ／ＯＦＦに加えて、前記直流電源の一方の端子を把持部の外周面に、他方の端子を前記ローラ支持部に、又は他方の端子を把持部の外周面に、一方の端子を前記ローラ支持部に電気的に接続するように切り替える機能を有している。よって、簡単に直流電源の端子の接続を切り替えることができる。
【００２１】
前記信号生成手段を把持部の内部に設け、ケーブルを介して超音波振動子に接続すると、当該信号生成手段が超音波振動子の振動の影響を受けない。
【発明を実施するための最良の形態】
【００２２】
以下、本発明の実施の形態に係るマッサージ器について説明する。
【実施例１】
【００２３】
まず、本発明の第１の実施の形態に係るマッサージ器について図面を参照しながら説明する。図１は本発明の第１の実施の形態に係るマッサージ器の概略的断面図、図２は同マッサージ器のローラの概略的断面図、図３は同マッサージ器において直流電源である乾電池を入れ替えた状態を示す概略的断面図である。
【００２４】
図１に示すマッサージ器は、外周面に金薄膜１２０が、さらにその上にゲルマニウム薄膜１３０がそれぞれ被着された略円柱状の永久磁石１１０であるローラ１００と、先端部にローラ１００が回転自在に取り付けられると共に当該ローラ１００と電気的に接続された導電性を有するローラ支持部２００と、このローラ支持部２００の基端部を保持する一方、当該ローラ支持部２００と電気的に絶縁された把持部３００と、この把持部３００の内部に収納される直流電源４００とを備えている。以下、各部を詳しく説明する。
【００２５】
前記ローラ１００は、図２に示すように、中央に貫通孔１１１が開設された永久磁石１１０と、この永久磁石１１０の外面に被着された金薄膜１２０と、この金薄膜１２０の上で、かつ永久磁石１１０の外周面に相当する部分に被着されたゲルマニウム薄膜１３０とを有している。前記永久磁石には、例えばフェライト磁石が使用される。
【００２６】
また、前記ローラ支持部２００は、略Ｔ字形状に形成されており、その横軸部２１０( 即ち、先端部) の２つの先端にそれぞれ前記ローラ１００を回転可能に支持するようになっている。また、このローラ支持部２００の縦軸部２２０( 即ち、基端部) の下端は後述する直流電源４００としての乾電池の一方の端子４１０( ここでは、陽極) 又は他方の端子４２０( ここでは、陰極) の何れか一方の端子が接触するようになっている。なお、このローラ支持部２００は、導電性を有する金属から構成されている。
【００２７】
さらに、前記把持部３００は、このマッサージ器を使用する際に手で把持する部分であって、内部に直流電源４００である乾電池を収納可能なように円筒形状になった把持部本体３１０と、この把持部本体３１０の下端縁部に取り付けられる蓋体３２０とを有している。
【００２８】
前記把持部本体３１０の下端部の内周面には雌ねじ３１１が形成されている。また、前記蓋体は、側面視略凸字形状に形成されており、その周面には前記雌ねじ３１１に対応した雄ねじ３２１が形成されている。すなわち、この蓋体３２０は、把持部本体３１０の下端部に着脱可能になっているのである。また、前記蓋体３２０の上端の中央部には、突起３２２が突出されている。この突起３２２は乾電池の他方の端子４２０又は一方の端子４１０の何れか一方の端子に接触する。
【００２９】
かかる把持部３００を構成する把持部本体３１０と蓋体３２０とは、導電性を有する金属から構成されている。
【００３０】
一方、前記把持部本体３００の上端部には、絶縁性を有する素材、例えばゴム等のキャップ３３０が嵌合されている。このキャップ３３０には貫通孔３３１が開設されており、この貫通孔３３１には前記ローラ支持部２００の縦軸部２２０が嵌め込まれている。
【００３１】
把持部３００とローラ支持部２００とは、前記キャップ３３０を介して構造的に連結してはいるが、キャップ３３０が絶縁性を有する素材から構成されているために、電気的には絶縁されていることになる。
【００３２】
次に、このように構成されたマッサージ器の使用方法について説明する。
まず、皮膚から老廃物を浮きださせる場合の使用方法について説明する。
この場合には、図１に示すように、ローラ１００を直流電源４００の一方の端子４１０に接続し、把持部３００を直流電源４００の他方の端子４２０に接続する。すなわち、直流電源４００である乾電池の一方の端子４１０をローラ支持部２００の縦軸部２２０の下端に接触させ、直流電源４００である乾電池の他方の端子４２０を蓋体３２０の突起３２２に接触させるのである。この状態で、把持部３００を把持し、ローラ１００を皮膚に接触させると、ローラ１００が接触している皮膚に含まれている老廃物、例えば油分等が皮膚から浮き上がる。
【００３３】
すなわち、直流電源４００からの数μＡ程度の微弱な電流が、直流電源４００→ローラ支持部２００→ローラ１００→人間の身体→把持部本体３１０→蓋体３２０→直流電源４００のように流れる。この場合、ローラ１００は正に帯電し、把持部３００は負に帯電しているので、皮膚は正に帯電する。このため、皮膚に含まれる負に帯電した油分が皮膚から浮き上がるのである。
【００３４】
また、ゲルマニウムを肌に浸透させ、血流を良くする場合には、図３に示すように、乾電池である直流電源４００を入れ換え、ローラ１００を直流電源４００の他方の端子４２０に接続し、把持部３００を直流電源４００の一方の端子４１０に接続する。すなわち、直流電源４００である乾電池の他方の端子４２０をローラ支持部２００の縦軸部２２０の下端に接触させ、直流電源４００である乾電池の一方の端子４１０を蓋体３２０の突起３２２に接触させるのである。この状態で、把持部３００を把持し、ローラ１００を皮膚に接触させると、ローラ１００が接触している皮膚にゲルマニウムが浸透し、皮膚の血流が良くなる。
【００３５】
すなわち、直流電源４００からの数μＡ程度の微弱な電流が、直流電源４００→蓋体３２０→把持部本体３１０→人間の身体→ローラ１００→ローラ支持部２００→直流電源４００のように流れる。この場合、ローラ１００は負に帯電し、把持部３００は正に帯電しているので、皮膚は負に帯電する。このため、ローラ１００のゲルマニウム薄膜１３０中のゲルマニウム原子ＧｅがゲルマニウムイオンＧｅ4+となってローラ１００から皮膚へ浸透するのである。
【００３６】
なお、ローラ１００は２つあるので、ローラが１つのタイプのものより皮膚に与える機械的刺激が多くなるというメリットがある。
【００３７】
このようなマッサージ器は、把手部３００直流電源４００の一方の端子４１０を把持部３００の外周面に、他方の端子４２０をローラ支持部２００に、又は他方の端子４２０を把持部３００の外周面に、一方の端子４１０をローラ支持部２００に電気的に接続するように切り替えるための切替スイッチを設け、直流電源４００の端子の切り替えを簡単にすることができる。
【実施例２】
【００３８】
次に、本発明の第２の実施の形態に係るマッサージ器について図面を参照しながら説明する。図４は本発明の第２の実施の形態に係るマッサージ器の概略的断面図、図５は同マッサージ器の回路図である。
【００３９】
図４に示すマッサージ器は、外周面に金薄膜１２０が、さらにその上にゲルマニウム薄膜１３０がそれぞれ被着された略円柱状の永久磁石１１０であるローラ１００と、先端部にローラ１００が回転自在に取り付けられると共に当該ローラ１００と電気的に接続された導電性を有するローラ支持部２００と、このローラ支持部２００の基端部を保持する一方、当該ローラ支持部２００と電気的に絶縁された把持部３００と、この把持部３００の内部に収納される直流電源４００と、ローラ１００を振動させるために当該ローラ１００の内部に設けられた超音波振動子５００と、超音波を発生させるために必要な発振信号を生成して超音波振動子５００に出力する信号生成手段６００とを備えている。このマッサージ器は、実施例１のマッサージ器と超音波振動子５００及び信号生成手段６００を備えている点で相違する。よって、以下、その相違点について詳しく説明し、重複する部分については説明を省略する。なお、符号については実施例１のマッサージ器と同じものを使用する。
【００４０】
信号生成手段６００は、把持部３００の内部に配設されており、且つ切替スイッチ７００に電気的に接続されている( 図５参照) 。また、信号生成手段６００は、超音波振動子５００にケーブル８００で接続されており、このケーブル８００及び横軸部２１０とローラ１００との間に設けられた回転コネクタ( 図示省略) 等を介して発振信号を超音波振動子５００に出力するのである。
【００４１】
超音波振動子５００は、信号生成手段６００から発振信号が入力されると、動作してローラ１００を通じてローラ１００を振動させるようになっている。これによりローラ１００から超音波が発せられる。
【００４２】
切替スイッチ７００は、図５に示すように、複数の端子を有しており、直流電源４００である乾電池及び信号生成手段６００に電気的に接続される他、把持部３００及びローラ支持部２００に電気的に接続されている。なお、蓋体３２０と直流電源４００の他方の端子４２０とは絶縁されている。従って、直流電源４００の他方の端子４２０からの電流は蓋体３２０及び把持部本体３１０へ流れないようになっている。
【００４３】
この切替スイッチ７００は、例えば、スライドスイッチ等であって、信号生成手段６００のＯＮ／ＯＦＦに加えて、直流電源４００の一方の端子４１０を把持部３００の外周面に、他方の端子４２０をローラ支持部２００に、又は他方の端子４２０を把持部３００の外周面に、一方の端子４１０をローラ支持部２００に電気的に接続するように切り替える機能を有している。具体的には、ローラ支持部２００を介してローラ１００を正に、把持部３００を負にする第１のモードと、ローラ支持部２００を介してローラ１００を正に、把持部３００に負にすると共に、信号生成手段６００をＯＮ状態にする第２のモードと、ローラ支持部２００を介してローラ１００を負に、把持部３００を正にする第３のモードと、ローラ支持部２００を介してローラ１００を負に、把持部３００を正にすると共に、信号生成手段６００をＯＮ状態にする第４のモードと、直流電源をＯＦＦにするＯＦＦモードとを有している。
【００４４】
即ち、切替スイッチ７００が第１のモードにされると、直流電源４００の一方の端子４１０がローラ支持部２００に、他方の端子４２０が把持部３００に接続される。よって、直流電源４００からの数μＡ程度の微弱な電流が、直流電源４００→ローラ支持部２００→ローラ１００→人間の身体→把持部本体３１０→蓋体３２０→直流電源４００に順次的に流れるようになっている。この場合、ローラ１００が正に帯電し、把持部３００が負に帯電しているので、皮膚が正に帯電する。このため、皮膚に含まれる負に帯電した油分が皮膚から浮き上がるのである。
【００４５】
切替スイッチ７００が第２のモードにされると、直流電源４００の一方の端子４１０がローラ支持部２００に、他方の端子４２０が把持部３００に接続されると共に、信号生成手段６００がＯＮ状態にされる。よって、直流電源４００からの数μＡ程度の微弱な電流が、直流電源４００→ローラ支持部２００→ローラ１００→人間の身体→把持部本体３１０→蓋体３２０→直流電源４００に順次的に流れると共に、信号生成手段６００からの発振信号が、ケーブル８００を介して超音波振動子６００に出力される。この場合、ローラ１００には正の電流が帯電し、把持部３００が負に帯電しているので、皮膚が正に帯電する。このため、皮膚に含まれる負に帯電した油分が皮膚から浮き上がるのである。しかも、ローラ１００を通じて発せられる超音波によって皮膚の新陳代謝が高められるので、その効果が一層増す。
【００４６】
切替スイッチ７００が第３のモードにされると、直流電源４００の一方の端子４１０が把持部３００に、他方の端子４２０がローラ支持部２００に接続される。よって、直流電源４００からの数μＡ程度の微弱な電流が、直流電源４００→蓋体３２０→把持部本体３１０→人間の身体→ローラ１００→ローラ支持部２００→直流電源４００に順次的に流れるようになっている。この場合、ローラ１００が負に帯電し、把持部３００が正に帯電しているので、皮膚が負に帯電する。このため、ローラ１００のゲルマニウム薄膜１３０中のゲルマニウム原子ＧｅがゲルマニウムイオンＧｅ4+となってローラ１００から皮膚へ浸透するのである。
【００４７】
切替スイッチ７００が第４のモードにされると、直流電源４００の一方の端子４１０が把持部３００に、他方の端子４２０がローラ支持部２００に接続されると共に、信号生成手段６００がＯＮ状態にされる。よって、直流電源４００からの数μＡ程度の微弱な電流が、直流電源４００→蓋体３２０→把持部本体３１０→人間の身体→ローラ１００→ローラ支持部２００→直流電源４００に順次的に流れると共に、信号生成手段６００からの発振信号が、ケーブル８００を介して超音波振動子６００に出力されるようになっている。この場合、ローラ１００が負に帯電し、把持部３００が正に帯電しているので、皮膚が負に帯電する。このため、ローラ１００のゲルマニウム薄膜１３０中のゲルマニウム原子ＧｅがゲルマニウムイオンＧｅ4+となってローラ１００から皮膚へ浸透するのである。しかも、ローラ１００を通じて発せられる超音波によってゲルマニウムイオンＧｅ4+の皮膚への浸透を促進することができる。
【００４８】
なお、この切替スイッチ７００を設けることは任意である。この場合、信号生成手段６００については直流電源４００に電気的に接続し、超音波振動子５００を振動させるに必要な発振信号を生成させるようにすれば良い。ただし、このように設計変形すると、皮膚の油分を浮き上がられるとき、ゲルマニウムイオンＧｅ4+を皮膚へ浸透させるときのいずれか一方のときにしか信号生成手段６００をＯＮ状態にできない。
【００４９】
切替スイッチ７００については、スライドスイッチであるとしたが、他の切替スイッチを用いることも当然可能である。例えば、信号生成手段のＯＮ／ＯＦＦを切り替えるスイッチであっても良い。また、切替スイッチ７００のモードについても任意に決定することが可能であることは言うもまでもない。
【図面の簡単な説明】
【００５０】
【図１】本発明の第１の実施の形態に係るマッサージ器の概略的断面図である。
【図２】同マッサージ器のローラの概略的断面図である。
【図３】同マッサージ器において直流電源である乾電池を入れ替えた状態を示す概略的断面図である。
【図４】本発明の第２の実施の形態に係るマッサージ器の概略的断面図である。
【図５】同マッサージ器の回路図である。
【符号の説明】
【００５１】
１００    ローラ
２００    ローラ支持部
３００    把持部
４００    直流電源
５００    超音波振動子
６００    信号生成手段
７００    切替スイッチ
【図１】
2005066304.tif 000003
【図２】
2005066304.tif 000004
【図３】
2005066304.tif 000005
【図４】
2005066304.tif 000006
【図５】
2005066304.tif 000007